(57)【要約】      （修正有）【課題】単一形〜単七形の電池を交換可能とすることで、懐中電灯自体の実用性を高める多規格電池対応型懐中電灯を提供する。 【解決手段】ハウジング１が含まれ、その一側面に収容空間１０が延設され、当該収容空間１０に開口部１０１が設けられ、開口部１０１は第一カバー２を可動的に閉め、ハウジング１のもう一側面は第二カバー３を可動的に閉め、また、固定組立部品７はハウジング１内の一側に可動的に設けられ且つ固定組立部品７に第一スリーブ７０、第二スリーブ７１、第三スリーブ７２が設けられ、第三スリーブ７２の外周の一側は第二金属導体部６に貼着し、第二スリーブ７１は第三スリーブ７２内に可動的に設けられ、第一スリーブ７０は第二スリーブ７１内に可動的に設けられ且つ第一スリーブ７１の一端は第一電極端４１０を嵌合することにより、様々な規格の乾電池（Ｄｒｙ  Ｃｅｌｌ）を随時交換し、懐中電灯に装着できる。【選択図】図１
0003203950.tif 000002
【実用新案登録請求の範囲】
【請求項１】
ハウジング、プリント配線基板本体、及び固定組立部品を含み、
前記ハウジングは、その一側面に収容空間が延設され、前記収容空間に開口部が設けられ、前記開口部は第一カバーを可動的に閉め、前記ハウジングの他方の側面は第二カバーを可動的に閉め、前記第二カバーの内側の表面に凸レンズが固設されており；
前記プリント配線基板本体は、前記ハウジング内の一側に固設されており、前記プリント配線基板本体の一側面に前記凸レンズと平行して対称する発光素子が設けられ、前記プリント配線基板本体の他方の側面に第一金属導体部が設けられ、前記第一金属導体部に第一電極端が延設され、前記ハウジング内の一側に前記第一電極端と平行して対称する第二電極端が固設され、また、前記第二電極端と前記プリント配線基板本体との間に第二金属導体部が電気的に接続され、前記第二金属導体部は前記ハウジングの内面に設置されており、
前記固定組立部品は、前記ハウジング内の一側に可動的に設けられおり、前記固定組立部品に第一ソケットスリーブ、第二スリーブ、第三スリーブが設けられ、前記第三スリーブの外周の一側は前記第二金属導体部に貼着され、前記第二スリーブは第三スリーブ内に可動的に設けられ、前記第一スリーブは第二スリーブ内に可動的に設けられ且つ前記第一スリーブの一端は前記第一電極端に嵌合されている、多規格電池対応型懐中電灯。 
【請求項２】
前記固定組立部品はプラスチック材質、金属材質である請求項１に記載の多規格電池対応型懐中電灯。
【請求項３】
前記第二金属導体部に折曲端が設けられる請求項１に記載の多規格電池対応型懐中電灯。
【請求項４】
前記ハウジングの内面の一側に周回ストッパ部が設けられる請求項１に記載の多規格電池対応型懐中電灯。
【請求項５】
前記第一電極端はT型である請求項１に記載の多規格電池対応型懐中電灯。
【請求項６】
前記第二電極端は金属ばねである請求項１に記載の多規格電池対応型懐中電灯。
【考案の詳細な説明】
【技術分野】
【０００１】
本考案は、とりわけ単一形〜単七形の電池を交換可能とすることで懐中電灯自体の実用性を高めることを特徴とする多規格電池対応型懐中電灯を指す。
【背景技術】
【０００２】
よく見られる懐中電灯には様々な種類があり、そのうち、充電式懐中電灯と電池を装着する懐中電灯がある。しかし、電池を装着する懐中電灯は、中華民国特許第556796号の「懐中電灯構造改良」の記載によると、通常は電池の規格が定められているという。従って、懐中電灯の使用時に相当な限界性が生じる。また、懐中電灯の電池が切れてもすぐに同じ規格の電池へ交換できず、その上に他の規格の電池も装着できないことから、懐中電灯を継続的に使用する際に不便を感じる。このようなデメリットに対する改善を行おうとするのが本考案であり、即ちこれは出願人の解決しようとする技術の困難な点である。
【考案の概要】
【０００３】
現在の懐中電灯の電池交換における使用上の問題に鑑み、本考案の目的は単一形〜単七形の電池を交換可能とすることで懐中電灯自体の実用性を高めることを特徴とする多規格電池対応型の懐中電灯の開発にある。
【０００４】
上記目的を果たすために、本考案は次のように多規格電池対応型懐中電灯を提供する。ハウジングが含まれ、その一側面に収容空間が延設され、当該収容空間に開口部が設けられ、開口部は第一カバーを可動的に閉め、ハウジングのもう一側面は第二カバーを可動的に閉め、当該第二カバー内側の表面にある凸レンズが固設されている。プリント配線基板本体が含まれ、当該ハウジング内の一側に固設され、当該プリント配線基板本体の一側面に当該凸レンズと平行して対称する発光素子が設けられ、当該プリント配線基板本体の他方の側面に第一金属導体部が設けられ、当該第一金属導体部に第一電極端が延設され、当該ハウジング内の一側に当該第一電極端と平行して対称する第二電極端が固設され、また、当該第二電極端とプリント配線基板本体との間に第二金属導体部を電気的に接続し、第二金属導体部は当該ハウジング内面に設置されている。そして、固定組立部品は、当該ハウジング内の一側に可動的に設けられ且つ当該固定組立部品に第一スリーブ、第二スリーブ、第三スリーブが設けられ、当該第三スリーブの外周の一側は第二金属導体部に貼着し、当該第二スリーブは第三スリーブ内に可動的に設けられ、当該第一スリーブ第二スリーブ内に可動的に設けられ且つ第一スリーブの一端は第一電極端を嵌合する。
【０００５】
そのうち、当該第二金属導体部に折曲端が設けられ、且つ当該ハウジング内面の一側に周回ストッパ部が設けられ、当該第一電極端はT型であり、また当該第二電極端は金属ばねであり、好ましくは当該固定組立部品がプラスチック材質か金属材質の何れか一つである。
【０００６】
本考案は当該固定組立部品の当該第一スリーブ、当該第二スリーブ、当該第三スリーブの交換を以て、有利な規格の異なる乾電池の装着を可能にし、さらに交換後に余ったスリーブを当該収容空間に保管して持ち歩きを便利にすることで、単一形〜単七形の電池への交換を可能にするだけでなく、懐中電灯自体の実用性を高めるという効果に達する。
【図面の簡単な説明】
【０００７】
【図１】本考案の好適な実施例の組立て模式断面図である。
【図２】本考案の好適な実施例の規格の異なる電池が装着された応用の模式図(一) である。
【図３】本考案の好適な実施例の規格の異なる電池が装着された応用の模式図(二) である。
【図３Ａ】本考案の好適な実施例の規格の異なる電池が装着された応用の模式図(三) である。
【図４】本考案の好適な実施例の規格の異なる電池が装着された応用の模式図(四) である。
【図５】本考案の好適な実施例の規格の異なる電池が装着された応用の模式図(五) である。
【考案を実施するための形態】
【０００８】
以下、図面を参照しながら本考案について説明する。
【０００９】
図１は本考案の好適な実施例の組立て模式断面図である。本考案は次のようにハウジング1、プリント配線基板本体4、固定組立部品7が含まれる多規格電池対応型懐中電灯を提供する。
【００１０】
当該ハウジング1は一側面に収容空間10が延設され、当該収容空間10の位置は好ましくは当該ハウジング1自体の空間に間隔を作って空間を延長するものであり、当該収容空間10に開口部101が設けられ、当該開口部101は第一カバー2を可動的に閉め、当該第一カバー2は当該開口部101を可動的に閉めることで当該収容空間10の物を保管可能となり、当該ハウジング1のもう一側面は第二カバー3を可動的に閉め、当該第二カバー3内側の表面に一凸レンズ30が固設されている。
【００１１】
当該プリント配線基板本体4はハウジング1内の一側に固設され、好ましくは当該凸レンズ30と隣接し、当該プリント配線基板本体4の一側面に当該凸レンズ30と平行して対称する発光素子40が設けられ、当該プリント配線基板本体4のもう一側面に第一金属導体部41が設けられ、当該第一金属導体部41に第一電極端410が設けられる。当実施例の中で、当該第一電極端410はT型の金属スタッドであり、当該ハウジング1内の一側に当該第一電極端410と平行して対称する第二電極端5が固設され、好ましくは、当該第一電極端410は当該ハウジング1内の上に、当該第二電極端5は当該ハウジング1内の下に位置し、従って、有利な乾電池の装着を可能にするように当該第二電極端5は金属ばねであり、また、当該第二電極端5は当該プリント配線基板本体4との間に第二金属導体部6を電気的に接続し、当該第二金属導体部6はその装設空間を節約するようにハウジング1内面に設置される。
【００１２】
当該固定組立部品7は当該ハウジング1内の一側に可動的に設けられ且つ当該固定組立部品7に第一スリーブ70、第二スリーブ71、第三スリーブ72が設けられ、当該第三スリーブ72の外周の一側は当該第二金属導体部6に貼着し、その適切な摩擦抵抗を以て脱落を防止する。当実施例の中で、当該ハウジング1内面の一側に周回ストッパ部11が設けられ、従って、当該第二金属導体部6に折曲端60が設けられ、当該折曲端60は当該周回ストッパ部11に貼着し、それから第二スリーブ71は当該第三スリーブ72内に可動的に設けられ、また、当該第一スリーブ70は当該第二スリーブ71内に可動的に設けられ且つ当該第一スリーブ70の一端は当該第一電極端410に嵌合することにより、当該折曲端60、当該周回ストッパ部11、当該第一電極端410は其々当該第一スリーブ70、当該第二スリーブ71、当該第三スリーブ72の上への継続的な移動を抑えると同時に相互に摩擦による固定ができる。当該固定組立部品7はプラスチック材質か金属材質のいずれか一つであるが、好ましくは重さを減らすことのできるプラスチック材質である。
【００１３】
図２は本考案の好適な実施例の規格の異なる電池が装着された応用の模式図(一)である。このうち、当該固定組立部品7の当該第一スリーブ70、当該第二スリーブ71、当該第三スリーブ72は当該ハウジング1内に嵌合し、従って、当該第一電極端410と当該第二電極端5との間に単七形の乾電池80か単六形乾電池81が装設可能となる。当該単七形乾電池80の直径は約10.1mm、当該単六形乾電池81の直径は約8.3mm、その他各規格の乾電池は直径と高さが異なるが、当実施例の場合では当該単六形乾電池81の高さが当該単七形乾電池80より低くなっており、もし電池が短すぎて取り付けられない場合は当該第二電極端5の金属ばねの大きさか当該第一電極端410の長さを調整することで補うことができる。当該第一スリーブ70、当該第二スリーブ71、当該第三スリーブ72が全部装設時には当該単七形乾電池80か当該単六形乾電池81を収容できることになり、当該第一電極端410、当該第一金属導体部41、当該プリント配線基板本体4、当該第二金属導体部6、当該第二電極端5で電気回路が形成されると、当該発光素子40が光るようになるという点が、実に本考案の大きな特徴である。
【００１４】
図３は本考案の好適な実施例の規格の異なる電池が装着された応用の模式図(二)である。このうち、当該二スリーブ71、当該第三スリーブ72は当該ハウジング1内に嵌合し、従って、当該第一電極端410と当該第二電極端5との間に単三形乾電池82か単四形乾電池83が装着可能となる。当該単三形乾電池の直径は直約14.5mm、当該単四形乾電池の直径は約10.5mm、その他各規格の乾電池は直径と高さが異なるが、当実施例の場合では当該単四形乾電池83の高さが当該単三形乾電池82より低く、もし電池が短すぎて取り付けられない場合は当該第二電極端5の金属ばねの大きさか当該第一電極端410の長さを調整することで補うことができる。当該第一スリーブ70は当該収容空間10内に保管されることになり、当該第一カバー2で当該開口部101を閉める。当該第二スリーブ71、当該第三スリーブ72は装設時に当該単三形乾電池82か当該単四形乾電池83を収容できることになり、当該第一電極端410、当該第一金属導体部41、当該プリント配線基板本体4、当該第二金属導体部6、当該第二電極端5で電気回路が形成されると、当該発光素子40が光るようになるという点が、実に本考案の大きな特徴である。
【００１５】
図３Aは本考案の好適な実施例の規格の異なる電池が装着された応用の模式図(三)である。このうち、当該第二スリーブ71、当該第三スリーブ72は当該ハウジング1内に嵌合し、従って、当該第一電極端410と当該第二電極端5との間に単五形乾電池84を装設可能となる。当該単五形乾電池84の直径は約12mmであり、当該第二電極端5の金属ばねの大きさか当該第一電極端410の長さを調整することで補うことができる。当該第一スリーブ70は当該収容空間10内に保管されることになり、当該第一カバー2で当該開口部101を閉める。当該第二スリーブ71、当該第三スリーブ72は装設時に当該単五形乾電池84を収容できることになり、当該第一電極端410、当該第一金属導体部41、当該プリント配線基板本体4、当該第二金属導体部6、当該第二電極端5で電気回路が形成されると、当該発光素子40が光るようになるという点が、実に本考案の大きな特徴である。
【００１６】
図４は本考案の好適な実施例の規格の異なる電池が装着された応用の模式図(四)である。このうち、当該第三スリーブ72は当該ハウジング1内に嵌合し、従って、当該第一電極端410と当該第二電極端5との間に単二形乾電池85を装設可能となる。当該単二形乾電池85の直径は約26.2mmであり、当該第二電極端5の金属ばねの大きさか当該第一電極端410の長さを調整することで補うことができる。当該第一スリーブ70、当該第二スリーブ71は当該収容空間10内に保管されることになり、当該第一カバー2で当該開口部101を閉める。当該第三スリーブ72は装設時に当該単二形乾電池85を収容できることになり、当該第一電極端410、当該第一金属導体部41、当該プリント配線基板本体4、当該第二金属導体部6、当該第二電極端5で電気回路が形成されると、当該発光素子40が光るようになるという点が、実に本考案の大きな特徴である。
【００１７】
図５は本考案の好適な実施例の規格の異なる電池が装着された応用の模式図(五)である。このうち、当該固定組立部品7の当該第一スリーブ70、当該第二スリーブ71、当該第三スリーブ72を当該ハウジング1内から外すことで、当該第一電極端410と当該第二電極端5との間に単一形乾電池86の装設が可能となる。当該単一形乾電池86の直径は約34.2mmであり、当該第二電極端5の金属ばねの大きさか当該第一電極端410の長さを調整することで補う。当該第一スリーブ70、当該第二スリーブ71、当該第三スリーブ72は当該収容空間10内に保管されることになり、当該第一カバー2で当該開口部101を閉める。当該ハウジング1内に当該単一形乾電池86を収容できることになり、当該第一電極端410、当該第一金属導体部41、当該プリント配線基板本体4、当該第二金属導体部6、当該第二電極端5で電気回路が形成されると、当該発光素子40が光るようになるという点が、実に本考案の大きな特徴である。
【００１８】
図１にしめすように、本考案は当該固定組立部品7の当該第一スリーブ70、当該第二スリーブ71、当該第三スリーブ72の交換を以て、有利な規格の異なる乾電池の装着を可能にし、さらに交換後に余ったスリーブを当該収容空間10に保管して持ち歩きを便利にすることで、単一形〜単七形の電池への交換を可能にするだけでなく、懐中電灯自体の実用性を高めるという効果に達する。
【００１９】
上記論述したのは、本考案の好適な実施例のみであり、本考案の実施範囲を限定するために用いられるものではない。従って、本考案の精神と範囲を逸脱しないもとに行われる等価の構造変換は、本考案の権利範囲内に含まれるべきである。
【符号の説明】
【００２０】
1   ハウジング                  10  収容空間
101 開口部                      11  周回ストッパ部
2   第一カバー                  3   第二カバー
30  凸レンズ                    4   プリント配線基板本体
40  発光素子                    41  第一金属導体部
410 第一電極端                  5   第二電極端
6   第二金属導体部              60  折曲端
7   固定組立部品                70  第一スリーブ
71  第二スリーブ                72  第三スリーブ
80  単七形乾電池                81  単六形乾電池
82  単三形乾電池                83  単四形乾電池
84  単五形乾電池                85  単二形乾電池
86  単一形乾電池
【図１】
0003203950.tif 000003
【図２】
0003203950.tif 000004
【図３】
0003203950.tif 000005
【図３Ａ】
0003203950.tif 000006
【図４】
0003203950.tif 000007
【図５】
0003203950.tif 000008